(57)【要約】燃料電池セルは、ＭＥＡ（１０）と、アノード側ガス拡散層（１２）と、カソード側ガス拡散層（１４）と、アノード側ガス流路(１６)と、カソード側ガス流路（１８）と、セパレータ（２０）、（２２）を備える。アノード側ガス流路（１６）とカソード側ガス流路（１８）は対向流路であり、ともにガス流路の上流から下流に向けてガス流路を構成するエキスパンドメタル等の金属多孔体のガス拡散層との接触面積又は接触率が小さくなるように設定される。接触面積又は接触率の相違によりアノード側ガス流路（１６）とカソード側ガス流路（１８）との間で生成水の移動が生じる。
2012114432.tif 000002
【特許請求の範囲】
【請求項１】
燃料電池であって、
アノード側ガス拡散層に接し、前記アノード側ガス拡散層に燃料ガスを供給するアノード側ガス流路と、
カソード側ガス拡散層に接し、前記カソード側ガス拡散層に酸化剤ガスを供給するカソード側ガス流路と、
を備え、
前記アノード側ガス流路と前記カソード側ガス流路は、ガスの流れる向きが互いに逆向きの対向流路であり、
前記アノード側ガス流路を構成する金属部材の前記アノード側ガス拡散層との接触面積又は接触率は、前記アノード側ガス流路の上流から下流に向けて小さく設定され、
前記カソード側ガス流路を構成する金属部材の前記カソード側ガス拡散層との接触面積又は接触率は、前記カソード側ガス流路の上流から下流に向けて小さく設定され、
前記カソード側ガス流路の下流において、前記カソード側ガス流路を構成する金属部材の接触面積又は接触率は、前記アノード側ガス流路を構成する金属部材の接触面積又は接触率よりも相対的に小さく設定され、
前記カソード側ガス流路の上流において、前記アノード側ガス流路を構成する金属部材の接触面積又は接触率は、前記カソード側ガス流路を構成する金属部材の接触面積又は接触率よりも相対的に小さく設定される
ことを特徴とする燃料電池。
【請求項２】
請求項１記載の燃料電池において、
少なくとも前記カソード側ガス流路を構成する金属部材は、金属多孔体である
ことを特徴とする燃料電池。
【請求項３】
請求項２記載の燃料電池において、
前記カソード側ガス流路を構成する金属部材及び前記アノード側ガス流路を構成する金属部材は、金属多孔体である
ことを特徴とする燃料電池。
【請求項４】
請求項２記載の燃料電池において、
前記カソード側ガス流路を構成する金属部材は、金属多孔体であり、
前記アノード側ガス流路を構成する金属部材は、リブである
ことを特徴とする燃料電池。
【請求項５】
請求項２記載の燃料電池において、
前記金属多孔体は、エキスパンドメタルである
ことを特徴とする燃料電池。
【請求項６】
請求項２記載の燃料電池において、
前記カソード側ガス流路を構成する金属多孔体の接触面積又は接触率は、前記カソード側ガス流路の上流、中流、下流の３つの部分のそれぞれにおいて一定であるとともに、下流は中流よりも小さく設定され、かつ、中流は上流よりも小さく設定される
ことを特徴とする燃料電池。
【請求項７】
請求項１〜６のいずれかに記載の燃料電池において、
カソード側で生成された水は、前記カソード側ガス流路の下流において前記カソード側ガス流路から前記アノード側ガス流路に移動し、かつ、前記アノード側ガス流路の下流において前記アノード側ガス流路から前記カソード側ガス流路に移動し、外部からの加湿がない無加湿状態で運転される
ことを特徴とする燃料電池。
【発明の詳細な説明】
【技術分野】
【０００１】
本発明は燃料電池、特にガス流路の構成に関する。
【背景技術】
【０００２】
固体高分子型燃料電池は、固体高分子膜からなる電解質膜を燃料極と空気極との２枚の電極で挟んだ膜電極接合体（ＭＥＡ：Ｍｅｍｂｒａｎｅ  Ｅｌｅｃｔｒｏｄｅ  Ａｓｓｅｍｂｌｙ）を、さらに２枚のセパレータで挟持してなるセルを最小単位とし、このセルを複数積み重ねて燃料電池スタックとして高出力を得ている。【０００３】
固体高分子型燃料電池の発電の仕組みは周知であるが、簡単に説明すると、燃料極（アノード側電極）に燃料ガスとして例えば水素ガスが、空気極（カソード側電極）に酸化剤ガスとして例えば空気が供給される。水素ガスは、燃料ガス流路を通ってアノード側電極に供給され、電極の触媒の作用により電子と水素イオンに分解される。電子は外部回路を通ってカソード側電極に移動する。一方、水素イオンは電解質膜を通過してカソード電極に達し、酸素および外部回路を通ってきた電子と結合し、反応水になる。水素と酸素及び電子の結合反応により発生する熱は、冷却水によって回収される。カソード電極側に生成した水（以下「生成水」という）は、カソード側から排出される。【０００４】
上述した燃料電池のアノード電極及びカソード電極は、それぞれ触媒層からなり、この触媒層にはそれぞれ燃料ガス、酸化剤ガスを拡散するためのガス拡散層が積層されている。【０００５】
ところで、上述の反応により生じた生成水の排出がカソード側で滞った場合、カソード電極に閉塞現象（フラッディング）が生じる場合がある。【０００６】
そこで、ガス拡散層を、炭素繊維からなる層と撥水層から構成し、撥水層により生成水の排水を促進している。膜電極接合体（ＭＥＡ）とガス拡散層とが一体となった構成を、膜電極ガス拡散層接合体（ＭＥＧＡ）と称することもある。【０００７】
特許文献１には、燃料電池セルを発電部とセパレータとで構成し、セパレータの表面にガス流路を形成し、反応ガスを燃料極と酸素極とに供給する構成において、セパレータの背面に液体通路を形成し、液体通路を流れる温度調整水により発電部の熱を奪い取る構成が開示されている。そして、流体通路の溝幅をガス流路の下流側ほど狭く上流側ほど広く設定し、発電部の熱をガス下流側ほど少なく上流側ほど多く奪い取る構成として、ガス下流側の温度を相対的に高くして発電部のフラッディングを抑制し、ガス上流側の温度を相対的に低くして発電部のドライアップ（低湿度状態）を抑制するとしている。
【先行技術文献】
【特許文献】
【０００８】
【特許文献１】特開２００８−１４０６４０号公報
【発明の概要】
【発明が解決しようとする課題】
【０００９】
ドライアップが生じると、電解質膜のプロトン伝導性が低下して発電効率が低下するため、ガス上流側におけるドライアップを抑制する必要がある。しかしながら、液体通路の溝幅をガス流路の上流側において相対的に広くした場合、セパレータ表面のガス流路とセパレータ裏面の溝とは表裏の関係にあるため、生成水を排水するための流路は逆に狭くなって排水性が低下するおそれがある。【００１０】
したがって、燃料電池において、排水性を確保してフラッディングを抑制すると同時に、ガス上流側におけるドライアップを確実に防止できる構造が望まれている。
【課題を解決するための手段】
【００１１】
本発明は、燃料電池であって、アノード側ガス拡散層に接し、前記アノード側ガス拡散層に燃料ガスを供給するアノード側ガス流路と、カソード側ガス拡散層に接し、前記カソード側ガス拡散層に酸化剤ガスを供給するカソード側ガス流路とを備え、前記アノード側ガス流路と前記カソード側ガス流路は、ガスの流れる向きが互いに逆向きの対向流路であり、前記アノード側ガス流路を構成する金属部材の前記アノード側ガス拡散層との接触面積又は接触率は、前記アノード側ガス流路の上流から下流に向けて小さく設定され、前記カソード側ガス流路を構成する金属部材の前記カソード側ガス拡散層との接触面積又は接触率は、前記カソード側ガス流路の上流から下流に向けて小さく設定され、前記カソード側ガス流路の下流において、前記カソード側ガス流路を構成する金属部材の接触面積又は接触率は、前記アノード側ガス流路を構成する金属部材の接触面積又は接触率よりも相対的に小さく設定され、前記カソード側ガス流路の上流において、前記アノード側ガス流路を構成する金属部材の接触面積又は接触率は、前記カソード側ガス流路を構成する金属部材の接触面積又は接触率よりも相対的に小さく設定されることを特徴とする。【００１２】
本発明の１つの実施形態では、少なくとも前記カソード側ガス流路を構成する金属部材は、金属多孔体である。【００１３】
また、本発明の他の実施形態では、前記カソード側ガス流路を構成する金属部材及び前記アノード側ガス流路を構成する金属部材は、金属多孔体である。
また、本発明の他の実施形態では、前記カソード側ガス流路を構成する金属部材は、金属多孔体であり、前記アノード側ガス流路を構成する金属部材は、リブである。【００１４】
また、本発明の他の実施形態では、前記金属多孔体は、エキスパンドメタルである。【００１５】
また、本発明の他の実施形態では、前記カソード側ガス流路を構成する金属多孔体の接触面積又は接触率は、前記カソード側ガス流路の上流、中流、下流の３つの部分のそれぞれにおいて一定であるとともに、下流は中流よりも小さく設定され、かつ、中流は上流よりも小さく設定される。【００１６】
また、本発明の他の実施形態では、カソード側で生成された水は、前記カソード側ガス流路の下流において前記カソード側ガス流路から前記アノード側ガス流路に移動し、かつ、前記アノード側ガス流路の下流において前記アノード側ガス流路から前記カソード側ガス流路に移動し、外部からの加湿がない無加湿状態で運転される。
【発明の効果】
【００１７】
本発明によれば、燃料電池において、排水性を確保してフラッディングが抑制されると同時にドライアップが抑制される。この結果、燃料電池の発電効率が向上する。
【図面の簡単な説明】
【００１８】
【図１】第１実施形態の燃料電池セルの断面構成図である。
【図２】第１実施形態におけるアノード側ガス流路とカソード側ガス流路の接触面積の変化を示すグラフである。
【図３】エキスパンドメタルの外観斜視図である。
【図４】第１実施形態における生成水の循環を示す説明図である。
【図５】第１実施形態におけるエキスパンドメタルの流路説明図である。
【図６】セル面内方向の水分量分布を示すグラフである。
【図７】温度とセル電圧との関係を示すグラフである。
【図８】第２実施形態におけるアノード側ガス流路とカソード側ガス流路の接触面積の変化を示すグラフである。
【図９】第３実施形態の燃料電池セルの断面構成図である。
【図１０】第３実施形態における生成水の循環を示す説明図である。
【発明を実施するための形態】
【００１９】
以下、図面に基づき本発明の実施形態について説明する。なお、以下の実施形態は単なる例示であり、本発明は以下の実施形態に限定されるものではない。
【００２０】
１．基本原理
まず、本実施形態の基本原理について説明する。
【００２１】
燃料電池においては、発電に伴って熱と生成水が発生し、カソード側において生じた生成水カソード側ガス流路内で空気等の酸化剤ガスに押し出され、ガス流路の上流側から下流側に流れる。したがって、ガス上流側ではドライアップとなり易く、ガス下流側ではフラッディングとなり易い。
【００２２】
ガス上流側でのドライアップを防止するためには、酸化剤ガスを加湿器等で外部から加湿した上で燃料電池セルに供給することも考えられるが、別途、加湿器が必要となるのでコスト増加を招く。したがって、加湿することなくドライアップを抑制でき、かつフラッディングを抑制できるのが望ましい。
【００２３】
そこで、本実施形態では、アノード側ガス流路とカソード側ガス流路を、互いに流れの方向が逆向きとなるような対向流路に設定し、ＭＥＡを介してアノード側ガス流路の上流側とカソード側ガス流路の下流側とが対向し、かつ、アノード側ガス流路の下流側とカソード側ガス流路の上流側とが対向するように設定する。
【００２４】
そして、アノード側ガス流路の上流側とカソード側ガス流路の下流側がＭＥＡを介して対向する領域において、カソード側ガス流路の下流側の温度を、アノード側ガス流路の上流側の温度よりも相対的に高くする。また、アノード側ガス流路の下流側とカソード側ガス流路の上流側がＭＥＡを介して対向する領域において、アノード側ガス流路の下流側の温度を、カソード側ガス流路の上流側の温度よりも相対的に高くする。
【００２５】
カソード側ガス流路において、生成水は空気等の酸化剤ガスに押し出されて下流側に流れるが、カソード側ガス流路の下流側の温度は、アノード側ガス流路の上流側の温度よりも高いため、カソード側ガス流路の下流側に流された生成水は、相対的に温度が低いカソード側ガス流路の上流側にＭＥＡを介して移動する。そして、アノード側ガス流路の上流側に移動した生成水は、アノード側ガス流路において水素ガス等の燃料ガスに押し出されてアノード側ガス流路の下流側に流れる。
【００２６】
アノード側ガス流路の下流側の温度は、カソード側ガス流路の上流側よりも高いため、アノード側ガス流路の下流側に流された生成水は、相対的に温度が低いカソード側ガス流路の上流側にＭＥＡを介して移動する。
【００２７】
結果として、カソード側で生じた生成水は、
カソード側ガス流路の上流側→カソード側ガス流路の下流側→アノード側ガス流路の上流側→アノード側ガス流路の下流側→カソード側ガス流路の上流側
と移動し、カソード側ガス流路内とアノード側ガス流路内を循環することになるので、カソード側ガス流路の下流側におけるフラッディングが抑制されるとともに、カソード側ガス流路の上流側におけるドライアップが抑制される。
【００２８】
アノード側ガス流路の上流側とカソード側ガス流路の下流側が対向する領域において、カソード側ガス流路の下流側の温度をアノード側ガス流路の上流側の温度よりも相対的に高くするためには、アノード側ガス流路の上流側の冷却性能（あるいは放熱特性）をカソード側ガス流路の下流側よりも相対的に大きくすればよく、具体的には、冷却はガス流路を構成する金属部材とＭＥＡとの接触による熱伝導で生じるから、アノード側ガス流路の上流側における金属部材とＭＥＡとの接触面積（より特定的には、金属部材とガス拡散層との接触面積）を、カソード側ガス流路の下流側よりも相対的に大きくすればよい。
【００２９】
これにより、アノード側ガス流路の上流側においては、より多くの熱が金属部材により奪われるため、カソード側ガス流路の下流側よりも相対的に温度が低くなる。
【００３０】
また、アノード側ガス流路の下流側とカソード側ガス流路の上流側が対向する領域において、アノード側ガス流路の下流側の温度をカソード側ガス流路の上流側の温度よりも相対的に高くするためには、カソード側ガス流路の上流側の冷却性能（放熱特性）をアノード側ガス流路の下流側よりも相対的に大きくすればよく、具体的には、カソード側ガス流路の上流側における金属部材とＭＥＡとの接触面積を、アノード側ガス流路の下流側よりも相対的に大きくすればよい。
【００３１】
これにより、カソード側ガス流路の上流側においては、より多くの熱が金属部材により奪われるため、アノード側ガス流路の下流側よりも相対的に温度が低くなる。
【００３２】
カソード側ガス流路に着目すると、カソード側ガス流路の上流側においては冷却性能を大きくし、カソード側ガス流路の下流側において冷却性能を小さくするので、カソード側ガス流路において、上流から下流に向けて冷却性能は小さくなる。言い換えれば、カソード側ガス流路において、上流から下流に向けてカソード側ガス流路を構成する金属部材のカソード側ガス拡散層との接触面積は小さくなる。
【００３３】
また、アノード側ガス流路に着目すると、アノード側ガス流路の上流側においては冷却性能を大きく、アノード側ガス流路の下流側において冷却性能を小さくするので、アノード側料ガス流路において、上流から下流に向けて冷却性能は小さくなる。言い換えれば、アノード側料ガス流路において、上流から下流に向けてアノード側ガス流路を構成する金属部材のアノード側ガス拡散層との接触面積は小さくなる。
【００３４】
以上のような原理により、生成水を反応ガス流路内で循環させ、フラッディング及びドライアップが同時に抑制される。また、本実施形態では、生成水を循環させてドライアップを抑制するので、反応ガスの加湿が不要となり、コスト低減が図られる。
【００３５】
次に、本実施形態について、より具体的に説明する。
【００３６】
２．第１実施形態
図１に、本実施形態における燃料電池セルの断面構成図を示す。燃料電池セルは、固体高分子膜からなる電解質膜を燃料極と空気極との２枚の電極で挟んだ膜電極接合体（ＭＥＡ）１０と、アノード側ガス拡散層１２と、カソード側ガス拡散層１４と、アノード側ガス拡散層１２に接して形成されるアノード側ガス流路１６と、カソード側ガス拡散層１４に接して形成されるカソード側ガス流路１８と、セパレータ２０、２２とを含んで構成される。
【００３７】
アノード側ガス流路１６及びカソード側ガス流路１８は、ともに金属部材としてのエキスパンドメタルで構成され、アノード側ガス流路１６には燃料ガスとして水素ガスが供給され、カソード側ガス流路１８には酸化剤ガスとして空気が供給される。
【００３８】
アノード側ガス流路１６とカソード側ガス流路１８は、互いに対向する流路である。すなわち、アノード側ガス流路１６における水素ガスの流路と、カソード側ガス流路１８における空気の流路は、互いに逆向きである。例えば、図に示すように、アノード側ガス流路１６において水素ガスは図中左から右に向けて流れる一方、カソード側ガス流路１８において空気は図中右から左に向けて流れる。２つの流路が互いに対向するため、アノードガス流路１６の上流は、ＭＥＡ１０を挟んでカソード側ガス流路１８の下流に対向し、アノード側ガス流路１６の下流は、ＭＥＡ１０を挟んでカソード側ガス流路１８の上流に対向する。図に即して説明すると、図中Ａ領域はアノード側ガス流路１６の上流であるとともにカソード側ガス流路１８の下流に相当し、図中Ｂ領域はアノード側ガス流路１６の下流であるとともにカソード側ガス流路１８の上流に相当する。
【００３９】
既述したように、水素ガスは、アノード側ガス流路１６を通ってアノード側電極に供給され、電極の触媒作用により電子と水素イオンに分解される。電子は外部回路を通ってカソード側電極に移動する。一方、水素イオンはＭＥＡ１０を通過してカソード電極に達し、空気に含まれる酸素および外部回路を通ってきた電子と結合し、反応水になる。生成水は空気流路によって押し出され、空気流路の上流側から下流側に流れる。したがって、カソード側流路１８の上流側ではドライアップとなり易く、カソード側ガス流路１８の下流側でフラッディングとなり易い。
【００４０】
そこで、本実施形態では、カソード側ガス流路１８を構成するエキスパンドメタルの、カソード側ガス拡散層１４と接する接触面積に着目し、カソード側ガス流路１８の下流側の接触面積を、上流側の接触面積よりも相対的に小さくする。
【００４１】
また、同時に、アノード側ガス流路１６を構成するエキスパンドメタルの、アノード側ガス拡散層１２と接する接触面積に着目し、アノード側ガス流路１６の下流側の接触面積を、上流側の接触面積よりも相対的に小さくする。
【００４２】
図２に、本実施形態における、カソード側ガス流路１８を構成するエキスパンドメタルのカソード側ガス拡散層１４との接触面積のセル面内方向の変化、及びアノード側ガス流路１６を構成するエキスパンドメタルのアノード側ガス拡散層１２との接触面積のセル面内方向の変化を示す。図において、カソード側ガス流路１８を構成するエキスパンドメタルの接触面積の変化を実線１００で、アノード側ガス流路１６を構成するエキスパンドメタルの接触面積の変化を一点鎖線２００で示す。
【００４３】
カソード側ガス流路１８を構成するエキスパンドメタルの接触面積は、セル面内方向に対し、カソード側ガス流路１８の上流から下流に向けて連続的に小さくなるように変化する。図において、カソード側ガス流路１８を構成するエキスパンドメタルの接触面積は、図中右（上流）から左（下流）に向けてリニアに減少している。
【００４４】
また、アノード側ガス流路１６を構成するエキスパンドメタルの接触面積は、アノード側ガス流路１６の上流から下流に向けて連続的に小さくなるように変化する。図において、アノード側ガス流路１６を構成するエキスパンドメタルの接触面積は、図中左（上流）から右（下流）に向けてリニアに減少している。
【００４５】
このように、カソード側ガス流路１８を構成するエキスパンドメタルの接触面積は、カソード側ガス流路１８の下流側において相対的に小さく、その一方で、アノード側ガス流路１６を構成するエキスパンドメタルの接触面積は、アノード側流路１６の上流側において相対的に大きいため、カソード側ガス流路１８を構成するエキスパンドメタルの接触面積は、アノード側ガス流路１６を構成するエキスパンドメタルの接触面積よりも相対的に小さくなる。
【００４６】
同様に、カソード側ガス流路１８を構成するエキスパンドメタルの接触面積は、カソード側ガス流路１６の上流側において相対的に大きく、その一方で、アノード側ガス流路１６を構成するエキスパンドメタルの接触面積は、アノード側ガス流路１６の下流側において相対的に小さいため、アノード側ガス流路１６を構成するエキスパンドメタルの接触面積は、カソード側ガス流路１８を構成するエキスパンドメタルの接触面積よりも相対的に小さくなる。
【００４７】
図３に、カソード側ガス流路１８及びアノード側ガス流路１６を構成するエキスパンドメタルの斜視図を示す。エキスパンドメタルは、燃料電池セルのガス流路を構成する部材として一般的に用いられており、平板状の薄肉金属板に対して、順次、千鳥配置の切れ目を加工するとともに、加工した切れ目を押し曲げることにより網目状の小径の貫通孔を形成し、さらに圧延加工して略平板状としたものである。
【００４８】
エキスパンドメタルの製造方法は公知であるが、簡単に説明すると、平板材料を下刃及び上刃を備えた金型に所定の刻み幅で送り込み、上刃の台形状の凸部と下刃の台形状の凹部とによって、平板材料を一定間隔に部分的にせん断する。そして、上刃の上昇の都度、上刃及び下刃を所定の送り方向にシフトさせることで台形状の切起こしが千鳥状に一段ずつ形成され、階段状のメッシュを有するラスカットメタルが形成される。さらに、階段状のメッシュを有するラスカットメタルを圧延ローラによって圧延することで、略平板のエキスパンドメタルが製造される。
【００４９】
エキスパンドメタルは、ボンド部ＢＯ、及びボンド部ＢＯを相互につなぐストランド部ＳＴを有し、さらにガス拡散層１２（あるいは１４）との接触面Ｃｓが形成される。本実施形態において、エキスパンドメタルにおける接触面Ｃｓが同一ではなく、ガス流路の上流と下流とで相対的に変化する。
【００５０】
再び図２に戻り、このようにエキスパンドメタルの接触面積が変化すると、それに伴ってガス流路の冷却性能に相対的な差が生じることになる。すなわち、カソード側ガス流路１８及びアノード側ガス流路１６を構成するエキスパンドメタルは、発電により生成した熱を奪い取る機能を有しているから、エキスパンドメタルの接触面積は、その冷却機能に直接影響を与え、エキスパンドメタルの接触面積が相対的に大きいと、その冷却性能も相対的に大きくなる。カソード側ガス流路の下流側（図１，２のＡ領域）においては、カソード側ガス流路１８を構成するエキスパンドメタルの接触面積は、アノード側ガス流路１６を構成するエキスパンドメタルの接触面積よりも相対的に小さいため、カソード側ガス流路１８の下流は、アノード側ガス流路１６の上流よりも相対的に冷却性能が小さい。したがって、カソード側ガス流路１８の下流においては、カソード側ガス流路１８の下流の方がアノード側ガス流路１６の上流よりも相対的に温度が高くなる。
【００５１】
一方、カソード側ガス流路の上流（図１，２のＢ領域）においては、カソード側ガス流路１８を構成するエキスパンドメタルの接触面積は、アノード側ガス流路１６を構成するエキスパンドメタルの接触面積よりも相対的に大きいため冷却性能が大きい。したがって、アノード側ガス流路１６の下流の方がカソード側ガス流路１８の下流よりも相対的に温度が高くなる。このような相対的な温度差、すなわち温度勾配が生じると、生成水の循環が生じる。
【００５２】
図４に、本実施形態における生成水の流れを模式的に示す。発電反応に伴ってカソード側で生じた生成水は、カソード側ガス流路１８を流れる空気により押し出されてカソード側ガス流路１８の下流側（図におけるＡ領域）に流れる。カソード側ガス流路１８の下流側は、アノード側ガス流路１６の上流側よりも相対的に温度が高いため、この温度勾配によって生成水はＭＥＡ１０を介してカソード側からアノード側に移動する。図において、矢印５０は生成水のカソード側からアノード側への移動を示す。アノード側に移動した生成水は、アノード側ガス流路１６を流れる水素ガスに押し出されてアノード側ガス流路の下流側、すなわちカソード側ガス流路の上流側（図におけるＢ領域）に流れる。カソード側ガス流路１８の上流側は、アノード側ガス流路１６の下流側よりも相対的に温度が低いため、この温度勾配によって生成水はＭＥＡ１０を介してアノード側からカソード側に移動する。図において、矢印６０は生成水のアノード側からカソード側への移動を示す。
【００５３】
以上のようにして、生成水は、
カソード側ガス流路１８の上流側→カソード側ガス流路１８の下流側→アノード側ガス流路１６の上流側→アノード側ガス流路１６の下流側→カソード側ガス流路１８の上流側
と移動し、カソード側ガス流路１８に生成水が循環供給されることになるので、カソード側ガス流路１８の下流側におけるフラッディングが抑制されるとともに、カソード側ガス流路１８の上流におけるドライアップが抑制される。なお、生成水の全てが循環されるわけではなく、その一部はカソード側から外部に排出される。
【００５４】
本実施形態では、エキスパンドメタルの接触面積を変化させることでカソード側とアノード側との間で相対的な温度勾配を生成し、これにより生成水を移動させているが、エキスパンドメタルではガス流路と排水用の流路とが互いに分離されており、エキスパンドメタルとセパレータ２０，２２との界面において水が流れる構成であるから、本実施形態のようにエキスパンドメタルとガス拡散層１２，１４との接触面積を大きくしても、ガス流路及び水の流路は確保されるため、ガス流路や排水流路の狭窄による発電性能の低下は生じない。
【００５５】
図５に、エキスパンドメタルの接触面積の変化に伴うガス流路と排水流路の変化を模式的に示す。図５（Ａ）に、カソード側ガス流路１８及びアノード側ガス流路１６のエキスパンドメタルの接触面積がある値の場合を示し、図５（Ｂ）に、カソード側ガス流路１８のエキスパンドメタルの接触面積を増大させた場合を示す。エキスパンドメタルによりガス流路７０と排水流路８０が分離して形成され、エキスパンドメタルとセパレータ２０，２２との親水／親水界面に水が溜まり排水流路８０が形成される。エキスパンドメタルの接触面積を増大させて冷却性能を向上させても、ガス流路７０、排水流路８０のいずれも狭窄せずに確保されることが理解される。
【００５６】
図６に、本実施形態におけるセル面内方向の水分量分布を示す。図において、実線３００は本実施形態における水分量分布を示す。破線４００は、比較のため、カソード側ガス流路１８及びアノード側ガス流路１６を構成するエキスパンドメタルの接触面積が一定の場合の水分量分布を示す。接触面積が一定の場合、カソード側ガス流路１８の上流側（図におけるＢ領域）において水分量が急激に減少しており、ドライアップが生じている。また、相対的にカソード側ガス流路の下流側が上流側よりも相対的に水分量が多くなっている。
【００５７】
これに対し、本実施形態では、カソード側ガス流路１８の下流側においてカソード側からアノード側に水分が移動するため、比較例よりも相対的に水分量は低下する。また、カソード側ガス流路１８の上流側においてアノード側からカソード側に水分が移動するため、比較例よりも相対的に水分量が増大する。したがって、本実施形態では、カソード側ガス流路１８の上流側と下流側の水分量のばらつきが少なくなる。この図６からも、本実施形態ではカソード側ガス流路１８の下流側におけるフラッディングと上流側におけるドライアップがともに抑制されることが理解されよう。
【００５８】
図７に、本実施形態におけるセル温度とセル電圧（出力電圧）との関係を示す。図において、実線５００は本実施形態におけるセル電圧の変化を示す。破線６００は、比較のため、カソード側ガス流路１８及びアノード側ガス流路１６を構成するエキスパンドメタルの接触面積が一定の場合のセル電圧の変化を示す。接触面積が一定の場合、温度が９０度近くまで増大すると、ドライアップの影響により電解質膜のプロトン伝導性が低下して発電効率が低下するのでセル電圧も低下してしまう。
【００５９】
これに対し、本実施形態では、ドライアップが抑制されるため、セル温度が高くなっても発電効率の低下が抑制され、セル電圧はほぼ一定に維持される。
【００６０】
３．第２実施形態
第１実施形態では、図２に示すように、カソード側ガス流路１８及びアノード側ガス流路１６を構成するエキスパンドメタルの接触面積をリニアに変化させているが、エキスパンドメタルの積極面積は非リニアに変化してもよく、あるいは階段状（ステップ状）に変化してもよい。
【００６１】
図８に、本実施形態における、セル面内方向のエキスパンドメタルの接触面積変化を示す。実線１００はカソード側ガス流路１８を構成するエキスパンドメタルの接触面積変化であり、カソード側ガス流路１８の下流側から上流側に向けて階段状に接触面積が増大する。すなわち、カソード側ガス流路１８を、下流域、中流域、上流域の３つに分割し、分割したそれぞれの領域においては接触面積を一定値としつつ、
下流域の接触面積１００ａ＜中流域の接触面積１００ｂ＜上流域の接触面積１００ｃ
となるように設定する。
【００６２】
また、破線２００はアノード側ガス流路１６を構成するエキスパンドメタルの接触面積変化であり、カソード側ガス流路１８の下流側から上流側に向けて（つまり、アノード側流路１６の上流側から下流側に向けて）階段状に接触面積が減少する。すなわち、アノード側ガス流路を、下流域、中流域、上流域の３つの分割し、分割したそれぞれの領域においては接触面積を一定値としつつ、
下流域の接触面積２００ａ＞中流域の接触面積２００ｂ＞上流域の接触面積２００ｃ
となるように設定する。
【００６３】
本実施形態においても、カソード側ガス流路１８の下流において、アノード側ガス流路１６の方がカソード側ガス流路１８よりもエキスパンドメタルの接触面積が相対的に大きくなり、この接触面積の相対的な大小関係に起因して、カソード側ガス流路１８の方がアノード側ガス流路１６より相対的に温度が高くなる。したがって、カソード側ガス流路１８の下流側に押し出された生成水は、この温度勾配によりＭＥＡ１０を介してアノード側に移動する。
【００６４】
また、カソード側ガス流路１８の上流において、カソード側ガス流路１８の方がアノード側ガス流路１６よりもエキスパンドメタルの接触面積が相対的に大きくなり、この接触面積の相対的な大小関係に起因して、アノード側ガス流路１６の方がカソード側ガス流路１８より相対的に温度が高くなる。したがって、アノード側ガス流路１６の下流側に押し出された生成水は、この温度勾配によりＭＥＡ１０を介してカソード側に移動する。
【００６５】
以上のようにして、生成水はカソード側ガス流路１８の上流に循環し、カソード側ガス流路１８の下流におけるフラッディングが抑制されるとともに、カソード側ガス流路１６の上流におけるドライアップが抑制される。
【００６６】
４．第３実施形態
上記の第１実施形態では、カソード側ガス流路１８及びアノード側ガス流路１６をともにエキスパンドメタルで構成しているが、排水性が問題となるのはカソード側であることを考慮し、カソード側ガス流路１８をエキスパンドメタルで構成する一方、アノード側をエキスパンドメタル以外、例えばセパレータ２０の表面に形成された凹凸または溝で構成してもよい。
【００６７】
図９に、本実施形態における燃料電池セルの断面構成を示す。燃料電池セルは、固体高分子膜からなる電解質膜を燃料極と空気極との２枚の電極で挟んだ膜電極接合体（ＭＥＡ）１０と、アノード側ガス拡散層１２と、カソード側ガス拡散層１４と、アノード側ガス流路１７と、カソード側ガス流路１８と、セパレータ２０、２２とを含んで構成される。  
【００６８】
カソード側ガス流路１８は、エキスパンドメタルで構成される。また、アノード側ガス流路１７は、セパレータ２０の表面に形成された凹凸または溝で構成される。溝の凸部は、アノード側ガス拡散層１２に当接し、ＭＥＡ１０あるいはアノード側ガス拡散層１２にとってリブとして機能する。したがって、以下では適宜、アノード側ガス流路１７を構成する部材をリブと称する。
【００６９】
カソード側ガス流路１８には酸化剤ガスとして空気が供給される。また、アノード側ガス流路１７には燃料ガスとして水素ガスが供給される。カソード側ガス流路１８（空気流路）とアノード側ガス流路１７（水素ガス流路）は互いに対向する。すなわち、空気流路と水素ガス流路は互いに逆向きであり、空気流路の上流は水素ガス流路の下流に対応し、空気流路の下流は水素ガス流路の上流に対応する。
【００７０】
カソード側ガス流路１８を構成するエキスパンドメタルの、カソード側ガス拡散層１４との接触面積は、上流側の方が下流側よりも相対的に大きい。一方、アノード側ガス流路１７を構成するリブの接触面積も、上流側の方が下流側よりも相対的に大きい。アノードガス流路１７の上流はカソード側ガス流路１８の下流に対応し、アノード側ガス流路１７の下流はカソード側ガス流路１８の上流に対応するから、カソード側ガス流路１８の流れを基準とすると、リブの接触面積は下流側の方が上流側よりも相対的に大きい。
【００７１】
アノード側ガス流路１７を構成するリブは、冷却面として機能するから、その接触面積が大きいほど冷却性能が大きくなる。したがって、図中Ａ領域で示すカソード側ガス流路１８の下流側では、アノード側ガス流路１７のリブの接触面積がカソード側ガス流路１８のエキスパンドメタルの接触面積よりも相対的に大きくなり、カソード側ガス流路１８がアノード側ガス流路１７よりも相対的に温度が高くなる。また、図中Ｂ領域で示すカソード側ガス流路１７の上流側では、カソード側ガス流路１８のエキスパンドメタルの接触面積の方がアノード側ガス流路１７のリブの接触面積よりも相対的に大きくなり、アノード側ガス流路１７の方がカソード側ガス流路１８よりも相対的に温度が高くなる。
【００７２】
このように、カソード側ガス流路１８とアノード側ガス流路１７との間に温度勾配が生じるため、図１０に示すように、図中Ａ領域で示すカソード側ガス流路１８の下流側では、カソード側ガス流路１８の下流側からＭＥＡ１０を介してアノード側ガス流路１７の上流側に生成水が移動する（矢印５０）。また、図中Ｂ領域で示すカソード側ガス流路１８の上流側では、アノード側ガス流路１７の下流側からＭＥＡ１０を介してカソード側ガス流路１８の上流側に生成水が移動する（矢印６０）。
【００７３】
したがって、本実施形態によっても、発電反応に伴いカソード側で生じた生成水は、
カソード側ガス流路１８の上流側→カソード側ガス流路１８の下流側→アノード側ガス流路１７の上流側→アノード側ガス流路１７の下流側→カソード側ガス流路１８の上流側
と移動し、カソード側ガス流路１８に生成水が循環供給されることになるので、カソード側ガス流路１８の下流側におけるフラッディングが抑制されるとともに、カソード側ガス流路１８の上流におけるドライアップが抑制される。
【００７４】
なお、アノード側ガス流路１７を構成するリブの接触面積を大きくすると、その分だけリブ幅が広くなり、排水性能が低下するおそれがあるが、アノード側であるため問題とならない。
【００７５】
５．変形例
以上、本発明の実施形態について説明したが、本発明はこれら以外にも種々の変形が可能である。
【００７６】
例えば、第１及び第２実施形態では、カソード側ガス流路１８とアノード側ガス流路１６をともにエキスパンドメタルで構成し、第３実施形態ではカソード側ガス流路１８をエキスパンドメタルで構成し、アノード側ガス流路１７を凹凸あるいは溝で構成しているが、カソード側ガス流路とアノード側ガス流路を対向流路とするとともに、カソード側ガス流路とアノード側ガス流路をともに凹凸または溝で構成することもできる。この場合においても、それぞれの流路におけるリブの接触面積を変化させて温度勾配を形成することはいうまでもない。
【００７７】
また、本実施形態では、エキスパンドメタルの接触面積あるいはリブの接触面積を変化させているが、接触面積ではなく接触率（コンタクト率）を変化させてもよい。ここで、接触率とは、ガス流路を構成するエキスパンドメタルまたは凹凸のガス拡散層との界面における表面積のうち、ガス拡散層に接触している面積の割合である。本実施形態では、カソード側ガス流路１８とアノード側ガス流路１６（あるいは１７）との間の接触率の差を用いて温度勾配を形成し、生成水を移動させるものといえる。カソード側ガス流路１８とアノード側ガス流路１６（あるいは１７）との間の接触率は、例えば図１のＡ領域において、
カソード側ガス流路１８：８−１０％
アノード側ガス流路１６：１５−２０％
程度あればよい。接触率の差は７％以上あるのが好適であるが、必ずしもこれに限定されるわけではない。本願出願人は、アノード側ガス流路１８とカソード側ガス流路１６（あるいは１７）との間に少なくとも１％の接触率の差があれば、生成水がＭＥＡ１０を介して対向流路に移動することを確認している。
【００７８】
また、本実施形態において、カソード側ガス流路１８を構成する部材としてエキスパンドメタルを例示したが、これに限定されるものではなく、エキスパンドメタルその他の金属部材、より特定的には金属多孔体を用いることができる。
【００７９】
また、本実施形態では、生成水を対向流路内で循環させてカソード側ガス流路の上流に供給するので高温無加湿運転が可能であるが、必要に応じて加湿運転を行ってもよいのはいうまでもなく、加湿運転を排除するものではない。但し、無加湿運転することで加湿設備が不要となるので、その分だけコストが低減され、量産化に特に好適である。
【００８０】
さらに、本実施形態の燃料電池は、電気自動車や燃料電池自動車等の車両に搭載することが可能であるが、必ずしも車両用に限定されるものではない。
【符号の説明】
【００８１】
１０  ＭＥＡ、１２  アノード側ガス拡散層、１４  カソード側ガス拡散層、１６、１７  アノード側ガス流路、１８  カソード側ガス流路、２０，２２  セパレータ。
【図１】
2012114432.tif 000003
【図２】
2012114432.tif 000004
【図３】
2012114432.tif 000005
【図４】
2012114432.tif 000006
【図５】
2012114432.tif 000007
【図６】
2012114432.tif 000008
【図７】
2012114432.tif 000009
【図８】
2012114432.tif 000010
【図９】
2012114432.tif 000011
【図１０】
2012114432.tif 000012
【手続補正書】
【提出日】平成23年9月9日(2011.9.9)
【手続補正１】
【補正対象書類名】明細書
【補正対象項目名】００２５
【補正方法】変更
【補正の内容】
【００２５】
カソード側ガス流路において、生成水は空気等の酸化剤ガスに押し出されて下流側に流れるが、カソード側ガス流路の下流側の温度は、アノード側ガス流路の上流側の温度よりも高いため、カソード側ガス流路の下流側に流された生成水は、相対的に温度が低いアノード側ガス流路の上流側にＭＥＡを介して移動する。そして、アノード側ガス流路の上流側に移動した生成水は、アノード側ガス流路において水素ガス等の燃料ガスに押し出されてアノード側ガス流路の下流側に流れる。
【手続補正２】
【補正対象書類名】明細書
【補正対象項目名】００５１
【補正方法】変更
【補正の内容】
【００５１】
一方、カソード側ガス流路の上流（図１，２のＢ領域）においては、カソード側ガス流路１８を構成するエキスパンドメタルの接触面積は、アノード側ガス流路１６を構成するエキスパンドメタルの接触面積よりも相対的に大きいため冷却性能が大きい。したがって、アノード側ガス流路１６の下流の方がカソード側ガス流路１８の上流よりも相対的に温度が高くなる。このような相対的な温度差、すなわち温度勾配が生じると、生成水の循環が生じる。
【手続補正３】
【補正対象書類名】特許請求の範囲
【補正対象項目名】全文
【補正方法】変更
【補正の内容】
【特許請求の範囲】
【請求項１】
燃料電池であって、
アノード側ガス拡散層に接し、前記アノード側ガス拡散層に燃料ガスを供給するアノード側ガス流路と、
カソード側ガス拡散層に接し、前記カソード側ガス拡散層に酸化剤ガスを供給するカソード側ガス流路と、
を備え、
前記アノード側ガス流路と前記カソード側ガス流路は、ガスの流れる向きが互いに逆向きの対向流路であり、
前記アノード側ガス流路を構成する金属部材の前記アノード側ガス拡散層との接触面積又は接触率は、前記アノード側ガス流路の上流から下流に向けて小さく設定され、
前記カソード側ガス流路を構成する金属部材の前記カソード側ガス拡散層との接触面積又は接触率は、前記カソード側ガス流路の上流から下流に向けて小さく設定され、
前記カソード側ガス流路の下流において、前記カソード側ガス流路を構成する金属部材の接触面積又は接触率は、前記アノード側ガス流路を構成する金属部材の接触面積又は接触率よりも相対的に小さく設定され、
前記カソード側ガス流路の上流において、前記アノード側ガス流路を構成する金属部材の接触面積又は接触率は、前記カソード側ガス流路を構成する金属部材の接触面積又は接触率よりも相対的に小さく設定され、
前記カソード側ガス流路を構成する金属部材は、金属多孔体であり、
前記アノード側ガス流路を構成する金属部材は、リブである
ことを特徴とする燃料電池。
【請求項２】
請求項１記載の燃料電池において、
前記金属多孔体は、エキスパンドメタルである
ことを特徴とする燃料電池。
【請求項３】
請求項１記載の燃料電池において、
前記カソード側ガス流路を構成する金属多孔体の接触面積又は接触率は、前記カソード側ガス流路の上流、中流、下流の３つの部分のそれぞれにおいて一定であるとともに、下流は中流よりも小さく設定され、かつ、中流は上流よりも小さく設定される
ことを特徴とする燃料電池。
【請求項４】
請求項１〜３のいずれかに記載の燃料電池において、
カソード側で生成された水は、前記カソード側ガス流路の下流において前記カソード側ガス流路から前記アノード側ガス流路に膜電極接合体を通って移動し、かつ、前記アノード側ガス流路の下流において前記アノード側ガス流路から前記カソード側ガス流路に前記膜電極接合体を通って移動し、外部からの加湿がない無加湿状態で運転される
ことを特徴とする燃料電池。
【手続補正書】
【提出日】平成25年6月27日(2013.6.27)
【手続補正１】
【補正対象書類名】明細書
【補正対象項目名】００１１
【補正方法】変更
【補正の内容】
【００１１】
本発明は、固体高分子型の燃料電池であって、固体高分子膜からなる電解質膜を電極で挟んだ膜電極接合体と、アノード側ガス拡散層と、カソード側ガス拡散層と、前記アノード側ガス拡散層に接し、前記アノード側ガス拡散層に燃料ガスを供給するアノード側ガス流路と、前記カソード側ガス拡散層に接し、前記カソード側ガス拡散層に酸化剤ガスを供給するカソード側ガス流路とを備え、前記アノード側ガス流路と前記カソード側ガス流路は、ガスの流れる向きが互いに逆向きの対向流路であり、前記アノード側ガス流路を構成する金属部材の前記アノード側ガス拡散層との接触面積又は接触率は、前記アノード側ガス流路の上流から下流に向けて小さく設定され、前記カソード側ガス流路を構成する金属部材の前記カソード側ガス拡散層との接触面積又は接触率は、前記カソード側ガス流路の上流から下流に向けて小さく設定され、前記カソード側ガス流路の下流における前記カソード側ガス流路を構成する金属部材の前記カソード側ガス拡散層との接触面積又は接触率を、前記アノード側ガス流路の上流における前記アノード側ガス流路を構成する金属部材の前記アノード側ガス拡散層との接触面積又は接触率よりも相対的に小さくすることで、前記カソード側ガス流路の下流における前記カソード側ガス流路の放熱特性が、前記アノード側ガス流路の上流における前記アノード側ガス流路の放熱特性よりも相対的に小さく設定され、前記アノード側ガス流路の下流における前記アノード側ガス流路を構成する金属部材の前記アノード側ガス拡散層との接触面積又は接触率を、前記カソード側ガス流路の上流における前記カソード側ガス流を構成する金属部材の前記カソード側ガス拡散層との接触面積又は接触率よりも相対的に小さくすることで、前記アノード側ガス流路の下流における前記アノード側ガス流路の放熱特性が、前記カソード側ガス流路の上流における前記カソード側ガス流路の放熱特性よりも相対的に小さく設定され、前記カソード側ガス流路を構成する金属部材は、金属多孔体であり、前記アノード側ガス流路を構成する金属部材は、リブであることを特徴とする。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
本発明の１つの実施形態では、  前記金属多孔体は、エキスパンドメタルである。
【手続補正５】
【補正対象書類名】明細書
【補正対象項目名】００１５
【補正方法】変更
【補正の内容】
【００１５】
また、本発明の他の実施形態では、前記カソード側ガス流路を構成する金属多孔体の前記カソード側ガス拡散層との接触面積又は接触率は、前記カソード側ガス流路の上流、中流、下流の３つの部分のそれぞれにおいて一定であるとともに、下流は中流よりも小さく設定され、かつ、中流は上流よりも小さく設定される。
【手続補正６】
【補正対象書類名】明細書
【補正対象項目名】００１６
【補正方法】変更
【補正の内容】
【００１６】
また、本発明の他の実施形態では、カソード側で生成された水は、前記カソード側ガス流路の下流において前記カソード側ガス流路から前記アノード側ガス流路に前記膜電極接合体を通って移動し、かつ、前記アノード側ガス流路の下流において前記アノード側ガス流路から前記カソード側ガス流路に前記膜電極接合体を通って移動し、外部からの加湿がない無加湿状態で運転される。
【手続補正７】
【補正対象書類名】特許請求の範囲
【補正対象項目名】全文
【補正方法】変更
【補正の内容】
【特許請求の範囲】
【請求項１】
固体高分子型の燃料電池であって、
固体高分子膜からなる電解質膜を電極で挟んだ膜電極接合体と、
アノード側ガス拡散層と、
カソード側ガス拡散層と、
前記アノード側ガス拡散層に接し、前記アノード側ガス拡散層に燃料ガスを供給するアノード側ガス流路と、
前記カソード側ガス拡散層に接し、前記カソード側ガス拡散層に酸化剤ガスを供給するカソード側ガス流路と、
を備え、
前記アノード側ガス流路と前記カソード側ガス流路は、ガスの流れる向きが互いに逆向きの対向流路であり、
前記アノード側ガス流路を構成する金属部材の前記アノード側ガス拡散層との接触面積又は接触率は、前記アノード側ガス流路の上流から下流に向けて小さく設定され、
前記カソード側ガス流路を構成する金属部材の前記カソード側ガス拡散層との接触面積又は接触率は、前記カソード側ガス流路の上流から下流に向けて小さく設定され、
前記カソード側ガス流路の下流における前記カソード側ガス流路を構成する金属部材の前記カソード側ガス拡散層との接触面積又は接触率を、前記アノード側ガス流路の上流における前記アノード側ガス流路を構成する金属部材の前記アノード側ガス拡散層との接触面積又は接触率よりも相対的に小さくすることで、前記カソード側ガス流路の下流における前記カソード側ガス流路の放熱特性が、前記アノード側ガス流路の上流における前記アノード側ガス流路の放熱特性よりも相対的に小さく設定され、
前記アノード側ガス流路の下流における前記アノード側ガス流路を構成する金属部材の前記アノード側ガス拡散層との接触面積又は接触率を、前記カソード側ガス流路の上流における前記カソード側ガス流を構成する金属部材の前記カソード側ガス拡散層との接触面積又は接触率よりも相対的に小さくすることで、前記アノード側ガス流路の下流における前記アノード側ガス流路の放熱特性が、前記カソード側ガス流路の上流における前記カソード側ガス流路の放熱特性よりも相対的に小さく設定され、
前記カソード側ガス流路を構成する金属部材は、金属多孔体であり、
前記アノード側ガス流路を構成する金属部材は、リブである
ことを特徴とする燃料電池。
【請求項２】
請求項１記載の燃料電池において、
前記金属多孔体は、エキスパンドメタルである
ことを特徴とする燃料電池。
【請求項３】
請求項１、２のいずれかに記載の燃料電池において、
前記カソード側ガス流路を構成する金属多孔体の前記カソード側ガス拡散層との接触面積又は接触率は、前記カソード側ガス流路の上流、中流、下流の３つの部分のそれぞれにおいて一定であるとともに、下流は中流よりも小さく設定され、かつ、中流は上流よりも小さく設定される
ことを特徴とする燃料電池。
【請求項４】
請求項１〜３のいずれかに記載の燃料電池において、
カソード側で生成された水は、前記カソード側ガス流路の下流において前記カソード側ガス流路から前記アノード側ガス流路に前記膜電極接合体を通って移動し、かつ、前記アノード側ガス流路の下流において前記アノード側ガス流路から前記カソード側ガス流路に前記膜電極接合体を通って移動し、外部からの加湿がない無加湿状態で運転される
ことを特徴とする燃料電池。
【手続補正書】
【提出日】平成25年9月9日(2013.9.9)
【手続補正１】
【補正対象書類名】特許請求の範囲
【補正対象項目名】全文
【補正方法】変更
【補正の内容】
【特許請求の範囲】
【請求項１】
固体高分子型の燃料電池であって、
固体高分子膜からなる電解質膜を電極で挟んだ膜電極接合体と、
アノード側ガス拡散層と、
カソード側ガス拡散層と、
前記アノード側ガス拡散層に接し、前記アノード側ガス拡散層に燃料ガスを供給するアノード側ガス流路と、
前記カソード側ガス拡散層に接し、前記カソード側ガス拡散層に酸化剤ガスを供給するカソード側ガス流路と、
を備え、
前記アノード側ガス流路と前記カソード側ガス流路は、ガスの流れる向きが互いに逆向きの対向流路であり、
前記アノード側ガス流路を構成する金属部材の前記アノード側ガス拡散層との接触面積又は接触率は、前記アノード側ガス流路の上流から下流に向けて小さく設定され、
前記カソード側ガス流路を構成する金属部材の前記カソード側ガス拡散層との接触面積又は接触率は、前記カソード側ガス流路の上流から下流に向けて小さく設定され、
前記カソード側ガス流路の下流における前記カソード側ガス流路を構成する金属部材の前記カソード側ガス拡散層との接触面積又は接触率を、前記アノード側ガス流路の上流における前記アノード側ガス流路を構成する金属部材の前記アノード側ガス拡散層との接触面積又は接触率よりも相対的に小さくすることで、前記カソード側ガス流路の下流における前記カソード側ガス流路の放熱特性が、前記アノード側ガス流路の上流における前記アノード側ガス流路の放熱特性よりも相対的に小さく設定され、
前記アノード側ガス流路の下流における前記アノード側ガス流路を構成する金属部材の前記アノード側ガス拡散層との接触面積又は接触率を、前記カソード側ガス流路の上流における前記カソード側ガス流路を構成する金属部材の前記カソード側ガス拡散層との接触面積又は接触率よりも相対的に小さくすることで、前記アノード側ガス流路の下流における前記アノード側ガス流路の放熱特性が、前記カソード側ガス流路の上流における前記カソード側ガス流路の放熱特性よりも相対的に小さく設定され、
前記カソード側ガス流路を構成する金属部材は、金属多孔体であり、
前記アノード側ガス流路を構成する金属部材は、リブである
ことを特徴とする燃料電池。
【請求項２】
請求項１記載の燃料電池において、
前記金属多孔体は、エキスパンドメタルである
ことを特徴とする燃料電池。
【請求項３】
請求項１、２のいずれかに記載の燃料電池において、
前記カソード側ガス流路を構成する金属多孔体の前記カソード側ガス拡散層との接触面積又は接触率は、前記カソード側ガス流路の上流、中流、下流の３つの部分のそれぞれにおいて一定であるとともに、下流は中流よりも小さく設定され、かつ、中流は上流よりも小さく設定される
ことを特徴とする燃料電池。
【請求項４】
請求項１〜３のいずれかに記載の燃料電池において、
カソード側で生成された水は、前記カソード側ガス流路の下流において前記カソード側ガス流路から前記アノード側ガス流路に前記膜電極接合体を通って移動し、かつ、前記アノード側ガス流路の下流において前記アノード側ガス流路から前記カソード側ガス流路に前記膜電極接合体を通って移動し、外部からの加湿がない無加湿状態で運転される
ことを特徴とする燃料電池。
【手続補正２】
【補正対象書類名】明細書
【補正対象項目名】００１１
【補正方法】変更
【補正の内容】
【００１１】
本発明は、固体高分子型の燃料電池であって、固体高分子膜からなる電解質膜を電極で挟んだ膜電極接合体と、アノード側ガス拡散層と、カソード側ガス拡散層と、前記アノード側ガス拡散層に接し、前記アノード側ガス拡散層に燃料ガスを供給するアノード側ガス流路と、前記カソード側ガス拡散層に接し、前記カソード側ガス拡散層に酸化剤ガスを供給するカソード側ガス流路とを備え、前記アノード側ガス流路と前記カソード側ガス流路は、ガスの流れる向きが互いに逆向きの対向流路であり、前記アノード側ガス流路を構成する金属部材の前記アノード側ガス拡散層との接触面積又は接触率は、前記アノード側ガス流路の上流から下流に向けて小さく設定され、前記カソード側ガス流路を構成する金属部材の前記カソード側ガス拡散層との接触面積又は接触率は、前記カソード側ガス流路の上流から下流に向けて小さく設定され、前記カソード側ガス流路の下流における前記カソード側ガス流路を構成する金属部材の前記カソード側ガス拡散層との接触面積又は接触率を、前記アノード側ガス流路の上流における前記アノード側ガス流路を構成する金属部材の前記アノード側ガス拡散層との接触面積又は接触率よりも相対的に小さくすることで、前記カソード側ガス流路の下流における前記カソード側ガス流路の放熱特性が、前記アノード側ガス流路の上流における前記アノード側ガス流路の放熱特性よりも相対的に小さく設定され、前記アノード側ガス流路の下流における前記アノード側ガス流路を構成する金属部材の前記アノード側ガス拡散層との接触面積又は接触率を、前記カソード側ガス流路の上流における前記カソード側ガス流路を構成する金属部材の前記カソード側ガス拡散層との接触面積又は接触率よりも相対的に小さくすることで、前記アノード側ガス流路の下流における前記アノード側ガス流路の放熱特性が、前記カソード側ガス流路の上流における前記カソード側ガス流路の放熱特性よりも相対的に小さく設定され、前記カソード側ガス流路を構成する金属部材は、金属多孔体であり、前記アノード側ガス流路を構成する金属部材は、リブであることを特徴とする。
【国際調査報告】
2012114432.tif 000013
2012114432.tif 000014
2012114432.tif 000015
2012114432.tif 000016